(57)【要約】      （修正有）【課題】レンズセンタリング機能と拡縮機能を備えた保持ユニットをブラケットのガイド溝に着脱自在としてなる光学機器装置を提供。【解決手段】光学機器装置の低床化、組立作業性の向上と装置の多様化において、被検レンズの枠型保持ユニット１におけるスライド支持軸をワンタッチで取付けブラケット５，６のガイド溝に着脱自在とする機構とする為に、枠入れされた眼鏡レンズや丸レンズ等の被検レンズに対するＸ軸方向へのスライド自在なフレーム部材７及び、対称的に配置された保持アーム部材１１ａ，１１ｂ等から構成された枠型保持ユニットを、そのスライド支持軸により構成された着脱機構によりワンタッチで光学機器装置の取付けブラケットに装着自在とした。【選択図】図１
2020064025.tif 000002
【特許請求の範囲】
【請求項１】
眼鏡フレームに枠入れされた眼鏡レンズ及び未加工の丸レンズを被検レンズとする光学
機器装置にして、光学機器本体の基部において、Ｘ軸方向のガイド溝を有する取付ブラケ
ットを光軸に対する左右方向Ｘ軸に沿って設置する一方、当該取付ブラケットのガイド溝
に嵌合するスライド支持軸を長手方向中央位置に突設してなるフレーム部材と、眼鏡フレ
ーム受部及び丸レンズ受部が形成された保持パッド部を有する左右二組の保持アーム部材
とにより、枠型保持ユニットの骨格を構成し、当該枠型保持ユニットにおける保持アーム
部材は、上記フレーム部材の枠型中心に対して対称的に配置され、左右の各組毎に保持パ
ッド部が互いに接近するようバネ付勢されてなるセンタリング機構及び、保持アーム部材
の基端におけるセクターギヤの噛み合いを介して、上記左右の保持パッド部相互の間隔が
同期的に拡縮操作自在な拡縮機構として構成されてなると共に、当該枠型保持ユニットに
より眼鏡フレームのテンプルを上方に立ち上げたままの状態で保持する一方、丸レンズも
枠内中央に夫々センタリング保持し、かつ上記スライド支持軸を介して被検レンズを枠型
保持ユニットごとガイド溝に沿ってＸ軸方向にスライド操作自在に、またガイド溝内の任
意位置において右方向または左方向に傾動操作自在に枠型保持ユニットの各機能が構成さ
れ、当該枠型保持ユニットを上記スライド支持軸における着脱機構を介して光学機器本体
の取付けブラケットに対し、ワンタッチで装着自在にしたことを特徴とする光学機器装置
。
【請求項２】
眼鏡フレームに枠入れされた眼鏡レンズまたは未加工の丸レンズを被検レンズとする光
学機器装置にして、光学機器本体の基部において、Ｘ軸方向のガイド溝を有する取付ブラ
ケットを光軸に対する左右方向Ｘ軸に沿って設置する一方、当該取付ブラケットのガイド
溝に嵌合するスライド支持軸を長手方向中央位置に突設してなるフレーム部材と、眼鏡フ
レーム受部または丸レンズ受部の何れか一方が形成された保持パッド部を有する左右二組
の保持アーム部材とにより、枠型保持ユニットの骨格を構成し、当該枠型保持ユニットに
おける保持アーム部材は、上記フレーム部材の枠型中心に対して対称的に配置され、左右
の各組毎に保持パッド部が互いに接近するようバネ付勢されてなるセンタリング機構及び
、保持アーム部材の基端におけるセクターギヤの噛み合いを介して、上記左右の保持パッ
ド部相互の間隔が同期的に拡縮操作自在な拡縮機構として構成されてなると共に、当該枠
型保持ユニットにより眼鏡フレームのテンプルを上方に立ち上げたままの状態で保持し、
または丸レンズを枠内中央にセンタリング保持し、かつ上記スライド支持軸を介して被検
レンズを枠型保持ユニットごとガイド溝に沿ってＸ軸方向にスライド操作自在に、またガ
イド溝内の任意位置において右方向または左方向に傾動操作自在に枠型保持ユニットの各
機能が構成され、当該枠型保持ユニットを上記スライド支持軸における着脱機構を介して
光学機器本体の取付けブラケットに対し、ワンタッチで装着自在に構成したことを特徴と
する枠入れされた眼鏡レンズ用または未加工の丸レンズ用の何れかの光学機器装置。
【請求項３】
上記請求項１項及び２項における光学機器装置が、眼鏡フレームに枠入れされた眼鏡レ
ンズ及びまたは加工前の丸レンズ等を被検レンズとし、これ等被検レンズの表面または裏
面を観察または検査するための光学機器装置であって、被検レンズの表面側から照射する
ための光源と、被検レンズに照射した光束を受光して撮像するための撮像手段からなる観
察光学系を内蔵した光学機器装置本体に対し、被検レンズの枠型保持ユニットがスライド
支持軸における着脱機構を介して光学機器本体の取付けブラケットに対し、ワンタッチで
装着したことを特徴とするレンズチェッカー。
【請求項４】
上記請求項１項及び２項における光学機器装置が、眼鏡フレームに枠入れされた眼鏡レ
ンズ及びまたは加工前の丸レンズ等を被検レンズとし、これ等被検レンズの度数等の光学
特性を測定するための光学機器装置であって、被検レンズの表面側または裏面側から透射
するための光源と、被検レンズを透過した透過光束を受光して光学特性を測定する測定演
算手段からなる測定光学系を内蔵した光学機器装置本体に対し、被検レンズの枠型保持ユ
ニットがスライド支持軸における着脱機構を介して光学機器本体の取付けブラケットに対
し、ワンタッチで装着したことを特徴とするレンズメーター。
【請求項５】
上記請求項１項乃至４項記載の光学機器装置におけるスライド支持軸にかかわる着脱機
構として、スライド支持軸は、枠型保持ユニットのフレーム部材に対する軸線回りの相対
的な回転を規制する面取部が形成されている一方、軸線に沿って所定の距離だけ移動自在
に嵌合されていると共に、スライド支持軸とフレーム部材間には適当なバネ手段が介装さ
れて、スライド支持軸の先端部に形成した先端嵌合部を、フレーム部材から突出させて取
付ブラケットのガイド溝に摺動自在に嵌合するよう構成され、かつスライド支持軸の基端
には、フレーム部材側面との間に適度な弾性を有するスペーサーを介在させて操作摘みを
設け、これにより所定のフリクション保持力が発生するよう構成され、当該操作摘みを左
方向または右方向に回動操作することにより、被検レンズを枠型保持ユニットごと左右に
適宜傾動操作自在に構成すると共に、当該操作摘みを上記バネ手段に抗して更に軸方向に
操作することにより、スライド支持軸をフレーム部材からの突出状態から後退させ、スラ
イド支持軸の先端嵌合部とガイド溝との嵌合状態を必要に応じて解除し、枠型保持ユニッ
トをワンタッチで着脱自在に構成されてなる着脱機構を具備していることを特徴とする請
求項１項乃至４項記載の光学機器装置。
【発明の詳細な説明】
【技術分野】
【０００１】
本発明は、眼鏡フレームに枠入れされた眼鏡レンズ並びに加工前の丸レンズ等の被検レ
ンズを機械的にセンタリング保持すると共に、殊に眼鏡フレームの眼鏡ヅル（テンプル）
部分を上方に立てた状態で少なくともＸ軸方向への平面的な移動操作と、光軸に対する左
右方向への傾動操作を自在に行うことを可能にしたユニット化された枠型保持機構を、光
学機器本体における取付ブラケットに対してワンタッチ式に着脱自在としてなる光学機器
装置に関する。
【背景技術】
【０００２】
眼鏡フレームに枠入れされた眼鏡レンズや枠入れ加工前の丸レンズについて、これ等の
被検レンズ表面のキズや汚れ、或いは隠しマーク等の観察または外観品質の検査をするた
めのレンズチェッカーや、これ等被検レンズの度数等の光学特性を測定するためのレンズ
メーターなどがこの種の光学分野において多用されているが、これ等の光学機器装置にお
いては、その被検レンズを載置するためのレンズ載置台を装置本体に突設しているのが一
般的である。
そのため殊に、眼鏡フレームに枠入れされた眼鏡レンズを被検レンズとする場合には、装
置の基台に突設したレンズ載置台に眼鏡レンズをセットする際に、眼鏡フレームにおける
眼鏡ヅル（テンプル）を下向きに垂下させた状態でレンズ載置台の載置面に眼鏡レンズが
当接するようにセットすることとなり、この眼鏡ヅル（テンプル）の長さに相当する寸法
以上の高さ位置において、レンズ載置面を設けるために必要な高さ寸法が決定されている
のが実情で、装置全体の高さ寸法が大きい装置となっていた。
然も、枠入れされた眼鏡レンズや未加工の丸レンズ等の形態の異なる被検レンズを、機械
的に保持するのではなく、作業者の人手により被検レンズをレンズ載置台に置いて保持し
ているのが一般的な実情であり、作業者の熟練を要するものであった。
【０００３】
そしてこの種の光学機器装置においては、被検レンズの形態の差異、即ち眼鏡フレーム
に枠入れされた眼鏡レンズか未加工の丸レンズかの種類に合わせて、夫々の被検レンズに
対応する保持機構を具備した光学機器装置を取り揃えている場合が一般的であり、そのた
め設備費用が嵩むことを避けられないのが実情であった。
また、これ等の光学機器装置を組立てる場合には、被検レンズの保持機構がユニット化さ
れていないので、一台ごとに被検レンズの保持機構を本体に取付けて組み立てる如き作業
手順を実行することとなり、組立作業性が悪いばかりでなく、被検レンズの保持機構につ
いて機能的に形態の異なる被検レンズに対応して機械的保持と水平移動ができるものであ
っても、被検レンズの傾動操作機能がないため、追加機能としての傾動保持ができるタイ
プのユニット化された保持機構を具備した光学装置の開発が望まれていた。
【先行技術文献】
【特許文献】
【０００４】
上記した如く、眼鏡フレームに枠入れされた眼鏡レンズ及び未加工の丸レンズ等を被検
レンズとしているこの種の光学機器装置であるレンズメーターの代表例としては、例えば
下記の特許文献１を参照して説明するに、モニターテレビ２を光学測定部３の上方に設け
てなる測定装置本体１の正面中央部には、光学測定部３を構成するために突出（膨出）さ
せられた上部収納部４と、その下方に対向させて突出（膨出）させられた下部収納部５が
設けられていると共に、下部収納部５の上面に突出固定された裁頭円錐筒状のレンズ受６
及び測定光学系１０が設けられ、未加工の被検レンズＬを測定する場合は、公報図面の図
３に示されている如き状態にて被検レンズの測定を行い、また、メガネ７０のメガネフレ
ーム７１に枠入れされた左右のレンズ７２、７３を測定する場合は、公報図面の図１３に
示す如く、作業者は、まずメガネフレーム７１における眼鏡ヅルを下方に垂下した状態に
左手８１で保持して鼻当７４、７４を鼻当支持部材３２に当接すると共に、メガネフレー
ム７１におけるレンズ７２、７３の下端を当接部材３１に向けて押し付け、測定側のレン
ズ７２を下部収納部５上面のレンズ受け６に当接させるよう人手により保持しつつ、右手
８０でレバー３６を回動操作して測定光軸に対する前後方向の位置を調整すると共に、左
右方向の位置調整は左手８１を左右に移動して調整する。
【０００５】
即ち、この先行特許文献１のレンズメーターでは、先にも述べたように、光学機器装置
本体の前面に突設された下部収納部５を利用して、メガネフレーム７１の眼鏡ヅル（テン
プル）部分が下方に垂れ下がっても影響のないように高さ方向の寸法を確保しているので、
その分装置本体１の高さ方向の大型化を伴うものであり、装置の低床化並びに小型化を図
る際の障害となりコンパクトにできなかった。
加えてこの先行文献のものは、メガネフレーム７１を水平に保持することと、測定光軸に
合わせて被検レンズ７２、７３を前後左右に移動させて位置調整することについて、作業
者は左右の両手８０、８１を駆使して保持と調整と言う異なる操作を行わねばならないの
で、作業者は操作に対する熟練を要求されるばかりでなく、位置合わせ精度の面において
も正確性に劣ってしまうと言う、光学機器装置としてみたときに致命的な欠陥を伴うもの
に過ぎなかった。
然も、形態の異なる被検レンズに対する保持機構は夫々別々のものであり、本発明の目的
としているところの機械的保持とユニット化並びに組立性等に関する複合的概念を開示す
るものではない。
【０００６】
また、この種の光学機器における被検レンズの機械的な保持機構に注目した場合、未加
工の丸レンズと眼鏡フレームに枠入れされた眼鏡レンズとの双方の被検レンズに対する機
械的な保持機構の代表的な先行事例として、例えば下記の特許文献２が知られているが、
この場合も先の先行特許文献１におけると同様に被検レンズ４を載置するためのレンズテ
ーブル５３２が張り出されて突設されている一方で、公報図面の第１２図に開示されてい
る如く、眼鏡フレームのレンズ枠ＦＲをハンド片６００、６０１の上面６０５ｃに載せて
テンプルＦＴ（眼鏡ヅル）が下方に向けられた状態のまま、ハンド片６００、６０１の外
側面６０５ｄにて眼鏡フレームの左右方向への位置を規制し、レンズテーブル５３２の上
面におけるレンズ受部材５４１に対して、眼鏡レンズ４を機械的に保持する構成のため、
前記先行特許文献１、２におけると同様に、装置の高さ方向の低床化とコンパクト化を果
すことができないものである。
【０００７】
そして、この先行例の特徴とするところは、公報図面の第７（Ａ）図乃至第１０（Ａ）
図に詳細に開示されている如く、被検レンズ４を保持するための左右一対の挟持用ハンド
５３０、５３１を支えるアーム５２６、５２７が交差構造（シザーズ機構）に組合わされ
ていると共に、これ等のハンドアーム５２６、５２７を開閉させて未成形の被検レンズ４
を挟持する駆動系としてのアームモーター５２２とタイミングベルト５２５が設けられ、
然もこれ等のアーム部材５２６、５２７、５３０、５３１を支えるアームベース５２０を
水平状態を保ったまま、Ｘ軸方向に移動させるための駆動系としてのＸ軸送りネジ５０８
ａとガイドレール５０８ｂ及びそのＸ軸モータ５０４と、これ等をフランジ５０３ａｂご
とＹ軸方向へ移動させるための駆動系としてのＹ軸送りネジ５０５とガイドレール５０７
及びそのＹ軸モータ５０２と、更にはこれ等をＺ軸テーブル５０１ごとＺ軸方向へ移動す
るためのＺ軸送りネジ５０５等を三次元的に複雑に組み合わせてなる被検レンズ保持装置
が開示されているが、これ等は機構が複雑であるばかりでなく、丸レンズ４を保持するた
めに必要な操作要領と、眼鏡フレームＦＭを保持するために必要な操作要領に関し、これ
等の操作を行うための、上記アーム部材に関係する各部品の動作要領が全く逆であるため、
作業者による操作要領に混乱を来すものであると共に、誤操作を防止する観点からみても
好ましいものではなかった。
【０００８】
即ち、未成形の丸レンズ４を水平に保持する場合は、上記に述べたようにハンド５３０
、５３１の内側面６０５ａ、６０５ｂを互いに近接する方向に移動操作して未成形レンズ
４を挟持し保持するのに対し、眼鏡フレームＦＭを水平に保持する場合には、左右のハン
ド片６００、６０１の各上面６０５ｃにより左右の眼鏡フレームＦＭを受けると共に、左
右のハンド片６００、６０１の外側面６０５ｄを互いに離間する方向に移動操作し、眼鏡
フレームＦＭのテンプルＦＴを外側に広げるようにして保持するので、これ等の被検レン
ズの形態の違い基づく操作方向の違いにより、作業者に誤操作を招く恐れがあるばかりで
なく、同時に機械的な構成上の複雑さとも相俟って光学機器装置の操作性と操作精度に問
題を抱えたものに過ぎなかった。
然も、形態の異なる被検レンズに対する機械的な保持機構に注目して見た場合、その機構
が複雑で大掛かりであると共に組立性も悪く、更に本発明の目的としているところの機械
的保持とユニット化に関すること、並びに被検レンズの平面的移動と傾動操作に関する機
能的な概念等を開示するものではない。
【０００９】
【特許文献１】特開平８−２９２９２号公報
【特許文献２】特開昭６１−１２０９３９号公報
【発明の概要】
【発明が解決しようとする課題】
【００１０】
本件出願人は既に、眼鏡フレームに枠入れされた眼鏡レンズ及び未加工の丸レンズにつ
いて、これ等の被検レンズ表面のキズや汚れ、或いは隠しマーク等を観察するための（外
観品質検査も含む）レンズチェッカーまたは、これ等被検レンズの度数等の光学特性を測
定するためのレンズメーターなど、この種の光学分野における光学機器装置において、従
来一般的に多用されていた被検レンズのためのレンズ載置台に起因した前記先行特許文献
１及び２における如き種々の不都合を解消するための発明に関する出願（特願２０１８−
１８１９５７号）をしており、本発明は更にこの先願発明にはない、形態の異なる被検レ
ンズ用保持機構部分のユニット化に伴う組立性の向上を図ることと相俟って、被検レンズ
の枠型保持ユニットのワンタッチ式着脱機構による光学機器装置としての互換性と多様性
を高め得る光学機器装置を提供するためになされたものである。
【００１１】
従って、本発明における一つ課題は、殊に眼鏡フレームに枠入れされた眼鏡レンズを被
検レンズとする場合においても光学装置の低床化に有利なように、従来眼鏡フレームのテ
ンプルを下向きに垂下させるのに必要とされていた、テンプルの長さに相当する装置の高
さ寸法を低くすること、即ち装置の基台から上方に突設されたレンズ載置台に代わる全く
新しい眼鏡フレームの機械的な枠型保持機構を提案し、光学機器装置の低床化及びコンパ
クト化を図ると言う技術的解決課題を果すことについては前記した先願発明におけると同
様に可能である。
【００１２】
そして、本発明における重要な課題は、上記の枠型保持機構に関しこれをユニット化し
て、形態の異なる被検レンズに対応可能な枠型保持ユニットとして構成すると共に、前記
した先願発明におけると同様に、眼鏡フレームに枠入れされた眼鏡レンズ及び未加工の丸
レンズを被検レンズとし、これ等を保持したままＸ軸方向（左右方向）へ正確に移動操作
すると共に、左右方向への傾動操作を自由に行うことができる必要な機能を予め備えてい
ることは勿論のこと、それだけではなく特に光学装置の組立製造時の作業性に関し、一般
的に行われているように一台ずつ組立て完成するのではなく、予め別途にユニット化して
製造された被検レンズの枠型保持ユニットを設けると共に、当該保持ユニットを光学機器
本体に対して後付け的に、所謂ワンタッチで着脱自在とするために必要な着脱機構として
、殊に取付ブラケットのガイド溝に対する枠型保持ユニットのスライド支持軸における着
脱機構を設け、これにより光学機器装置の生産性の向上を果すばかりでなく、延いては光
学機器装置としての多様化を容易に果たすことが可能なようなワンタッチ式の着脱機構を
提供することにあり、かつ光学に関する個別の機能を有する小型で低床化されたレンズチ
ェッカーまたはレンズメーター等を提供することにある。
【００１３】
また、この種の光学機器装置においては、一般的に被検レンズの異なる形態ごとに、夫
々対応する光学機器装置を取り揃えているのが通例であるが、光学機器を個別に取り揃え
ることは設備費用が嵩むことになるので、例えば、眼鏡フレームに枠入れされた眼鏡レン
ズを観察または測定することができるだけでなく、加工前の丸レンズについても、同一の
光学機器装置により同様に観察や測定をすることが可能な光学機器装置であることが望ま
れているが、本発明においては前記先願発明におけると同様に一台で異なる形態の被検レ
ンズに対応できることは勿論のこと、或いは逆に、被検レンズの枠型保持ユニットをワン
タッチで着脱自在に構成されていると言うことは、形態の異なる被検レンズ専用の個別の
光学機器装置としての変更もワンタッチで着脱変更できることとなり、多様性のある光学
機器装置を簡単に製造し提供できるものであり、本発明は、これらの要求課題を何れも達
成可能で然も異なる形態の被検レンズ用の枠型保持ユニットとして、眼鏡フレームに枠入
れされた眼鏡レンズ及び未加工の丸レンズの双方に、または夫々個別に対応可能で、然も
全く新しい機械的なセンタリング機能付きで同期的動作の可能な枠型保持ユニットを提案
し、延いては、光学に関する個別の光学機能を有する小型で低床化された精度と操作性に
優れたレンズチェッカーまたはレンズメーターを安価に提供することにある。
【課題を解決するための手段】
【００１４】
本発明の第一の特徴は、従来の光学装置におけるような被検レンズの載置台を廃止する
ことができるように、眼鏡フレームに枠入れされた眼鏡レンズ及び未加工の丸レンズを被
検レンズとする光学機器装置にして、光学機器本体の基部において、Ｘ軸方向のガイド溝
を有する取付ブラケットを光軸に対し左右方向Ｘ軸に沿って設置する一方、当該取付ブラ
ケットのガイド溝に嵌合するスライド支持軸を長手方向中央位置に突設してなるフレーム
部材と、眼鏡フレーム受部及び丸レンズ受部が形成された保持パッド部を有する左右二組
の保持アーム部材により、枠型保持ユニットの骨格を構成し、当該枠型保持ユニットにお
ける保持アーム部材は、上記フレーム部材の枠型中心に対して対称的に配置され、左右の
各組毎に保持パッド部が互いに接近するようバネ付勢されてなるセンタリング機構及び、
保持アーム部材の基端におけるセクターギヤの噛み合いを介して、上記左右の保持パッド
部相互の間隔が同期的に拡縮操作自在な拡縮機構として構成されてなると共に、当該枠型
保持ユニットにより眼鏡フレームのテンプルを上方に立ち上げたままの状態で保持する一
方、丸レンズも枠内中央に夫々センタリング保持し、かつ上記スライド支持軸を介して被
検レンズを枠型保持ユニットごとガイド溝に沿ってＸ軸方向にスライド操作自在に、また
ガイド溝内の任意位置において右方向または左方向に傾動操作自在に枠型保持ユニットの
各機能が構成され、当該枠型保持ユニットを上記スライド支持軸における着脱機構を介し
て光学機器本体の取付ブラケットに対し、ワンタッチで装着自在に構成した枠型保持ユニ
ットを具備したことを特徴とするものである。
【００１５】
そして、本発明の上記光学機器装置のバリエーションとして、眼鏡フレームに枠入れさ
れた眼鏡レンズまたは未加工の丸レンズを被検レンズとする光学機器装置にして、光学機
器本体の基部において、Ｘ軸方向のガイド溝を有する取付ブラケットを光軸に対する左右
方向Ｘ軸に沿って設置する一方、当該取付ブラケットのガイド溝に嵌合するスライド支持
軸を長手方向中央位置に突設してなるフレーム部材と、眼鏡フレーム受部または丸レンズ
受部の何れか一方が形成された保持パッド部を有する左右二組の保持アーム部材により、
枠型保持ユニットの骨格を構成し、当該枠型保持ユニットにおける保持アーム部材は、上
記フレーム部材の枠型中心に対して対称的に配置され、左右の各組毎に保持パッド部が互
いに接近するようバネ付勢されてなるセンタリング機構及び、保持アーム部材の基端にお
けるセクターギャの噛み合いを介して、上記左右の保持パッド部相互の間隔が同期的に拡
縮操作自在な拡縮機構として構成されてなると共に、当該枠型保持ユニットにより眼鏡フ
レームのテンプルを上方に立ち上げたままの状態で保持し、または丸レンズを枠内中央に
センタリング保持し、かつ上記スライド支持軸を介して被検レンズを枠型保持ユニットご
とガイド溝に沿ってＸ軸方向にスライド操作自在に、またガイド溝内の任意位置において
右方向または左方向に傾動操作自在に枠型保持ユニットの各機能が構成され、当該枠型保
持ユニットを上記スライド支持軸における着脱機構を介して光学機器本体の取付ブラケッ
トに対しワンタッチで装着自在に構成され、枠入れされた眼鏡レンズ用または未加工の丸
レンズ用の何れかに対応する枠型保持ユニットを具備したことを特徴とするものである。
【００１６】
更に、本発明においては、その光学機器装置が眼鏡フレームに枠入れされた眼鏡レンズ
及びまたは加工前の丸レンズ等を被検レンズとし、これ等被検レンズの表面または裏面を
観察または検査するための光学機器装置であって、被検レンズの表面側から照射するため
の光源と、被検レンズに照射した光束を受光して撮像するための撮像手段からなる観察光
学系を内蔵した光学機器装置本体に対し、被検レンズの枠型保持ユニットがスライド支持
軸における着脱機構を介して光学機器本体の取付けブラケットに対し、ワンタッチで装着
したことを特徴とするものである。
【００１７】
また更に、本発明においては、その光学機器装置が眼鏡フレームに枠入れされた眼鏡レ
ンズ及びまたは加工前の丸レンズ等を被検レンズとし、これ等被検レンズの度数等の光学
特性を測定するための光学機器装置であって、被検レンズの表面側または裏面側から透過
するための光源と、被検レンズを透過した透過光束を受光して光学特性を測定する測定演
算手段からなる測定光学系を内蔵した光学機器装置本体に対し、被検レンズの枠型保持ユ
ニットがスライド支持軸における着脱機構を介して光学機器本体の取付けブラケットに対
し、ワンタッチで装着したことを特徴とするものである。
【００１８】
なお、本発明においては、光学機器装置におけるスライド支持軸にかかわる着脱機構と
して、スライド支持軸は、枠型保持ユニットのフレーム部材に対する軸線回りの相対的な
回転を規制する面取り部が形成されている一方、軸線に沿って所定の距離だけ移動自在に
嵌合されていると共に、スライド支持軸とフレーム部材間には適当なバネ手段が介装され
て、スライド支持軸の先端部に形成した先端嵌合部を、フレーム部材のから突出させて取
付ブラケットのガイド溝に摺動自在に嵌合するよう構成され、かつスライド支持軸の基端
には、フレーム部材側面との間に適度な弾性を有するスペーサーを介在させて操作摘みを
設け、これにより所定のフリクション保持力が発生するよう構成され、当該操作摘みを左
方向または右方向に回動操作することにより、被検レンズを枠型保持ユニットごと左右に
適宜傾動操作自在に構成すると共に、当該操作摘みを上記バネ手段に抗して更に軸方向に
操作することにより、スライド支持軸をフレーム部材からの突出状態から後退させ、スラ
イド支持軸の先端嵌合部とガイド溝との嵌合状態を必要に応じて解除し、枠型保持ユニッ
トをワンタッチで着脱自在に構成されてなる着脱機構を具備していることを特徴とするも
のである。
【発明の効果】
【００１９】
本発明は、従来の光学機器装置におけるような被検レンズの載置台を廃止して機械的に
被検レンズを保持することができる枠型保持ユニットを具備しているので、先願発明（特
願２０１８−１８１９５７号）におけると同様に、光学機器装置の低床化と小型コンパク
ト化を確実に果たすことができると共に、被検レンズを機械的にセンタリング保持してＸ
軸方向へのスライド移動と、スライドさせた任意の位置において適宜に左右方向への傾動
操作もできるので、被検レンズの移動に関する操作性の向上を図れるばかりでなく、その
操作と移動に関する安定した精度を得ることができて、光学機器としての信頼性の高いも
のを提供できる優れた効果を発揮できることは勿論である。
【００２０】
即ち、本発明における光学機器装置は、光学機器本体の基部において、Ｘ軸方向のガイ
ド溝を有する取付ブラケットを光軸に対する左右方向Ｘ軸に沿って設置する一方、当該取
付ブラケットのガイド溝に嵌合するスライド支持軸を長手方向中央位置に突設してなる枠
型のフレーム部材と、眼鏡フレーム受部及び丸レンズ受部が形成された保持パッド部を有
する左右二組の保持アーム部材により、枠型保持ユニットの骨格を構成し、当該枠型保持
ユニットにおける保持アーム部材は、上記フレーム部材の枠型中心に対して対称的に配置
されて左右の各組毎に保持パッド部が互いに接近するようバネ付勢されてなるセンタリン
グ機構及び、保持アーム部材の基端におけるセクターギヤの噛み合いを介して、上記左右
の保持パッド部相互の間隔が同期的に拡縮操作自在な拡縮機構として構成されてなると共
に、当該枠型保持ユニットにより眼鏡フレームのテンプルを上方に立ち上げたままの状態
で保持する一方、丸レンズも枠内中央に夫々センタリング保持し、かつ上記スライド支持
軸を介して被検レンズを枠型保持ユニットごとガイド溝に沿ってＸ軸方向にスライド操作
自在に、またガイド溝内の任意位置において右方向または左方向に傾動操作自在に枠型保
持ユニットの各機能が構成されているので、上記した如き操作性と精度等の信頼性に優れ
た効果を発揮できるのである。
【００２１】
その結果、スライド支持軸を取付けブラケットのガイド溝に嵌合したままの使用状態に
おいては、スライド支持軸の基端に設けられた操作摘みを手動で適宜操作することにより
、フレーム部材に保持された眼鏡フレームの眼鏡レンズや未加工の丸レンズを、フレーム
部材ごとＸ軸方向にスライド操作することができる事は勿論のこと、保持された被検レン
ズをフレーム部材ごと必要に応じて上記操作摘みを左回転または右回転操作することによ
り（或いは、操作摘みによることなくフレーム部材を直接的にスライド支持軸のフリクシ
ョンに抗して操作しても良い）、左右に傾動操作することができるので、例えば、被検レン
ズがハイカーブレンズや曲率の大きな丸レンズのような場合でも、光軸に対する面直状態
を調整することができ、或いは観察や測定のし易い状態に被検レンズを傾けて見ることが
できる優れた操作性を備えた光学機器装置を、前記した先願発明におけると同様に提供す
ることができるのであり、実用的にも優れた有用で特殊な効果を発揮できるものである。
【００２２】
そして、本発明の更なる特徴的効果は、上記した如くユニット化された被検レンズの枠
型保持ユニットが、そのスライド支持軸における着脱機構を介して光学機器本体の取付ブ
ラケットに対し、ワンタッチで装着自在に構成したことを特徴とする枠型保持ユニットを
具備しているので、形態の異なる被検レンズの保持機構部分のユニット化に伴う組立性の
迅速化と生産性の向上が図れることと相俟って、被検レンズ用枠型保持ユニットにおける
ワンタッチ式着脱機構により、光学機器装置としての所謂互換性（即ち形態の異なる被検
レンズに対応した専用機器または共用機器などへの変更）が高められると共に、光学機器
製品に対する顧客の要望に応じた多様性のある光学機器装置を、種々提供することが容易
にできる実用的効果を奏することができるものである。
一方、本発明における枠型保持ユニットにおいて、これを形成する保持アーム部材先端の
保持パッド受が、眼鏡フレーム受部と丸レンズ受部を共に有する共用型の場合には、枠入
れされた眼鏡レンズと未加工の丸レンズの何れにも一台の光学機器装置でありながら対応
することができるので、前述した先願発明におけると同様、異なる形態の被検レンズへの
対応が一台で可能であることにより、光学機器の設備費用にかかわる経済的観点において
も極めて有利であり、また光学機器の設置スペースも少なくて済む等、経済性と実用性に
優れた光学機器装置を提供できるのである。
【００２３】
また、本発明における枠型保持ユニットにおいては、先願発明におけると同様に、枠型
保持ユニットにおける保持アーム部材が、フレーム部材の枠型中心対して対称的に配置さ
れていて、その左右の各組毎に保持アーム部材が互いに接近するようにバネ付勢されてな
るセンタリング機構及び、保持アーム部材の基端におけるセクターギヤの噛み合いを介し
て、上記左右の保持アーム部材相互の間隔が同期的に拡縮操作自在な拡縮機構として構成
されているので、被検レンズの光学中心と光軸がセンタリング機構により略一致するよう
に保持されて便利である他、被検レンズをセットする際に、左右の保持アーム部材が相互
に同期的に拡縮操作自在であるので、被検レンズのセッティング操作を容易に行うことが
でき、操作性に優れた効果を有するものである。
然もフレーム部材の枠内には、基本的に上記二組の保持パッド部付きの保持アーム部材以
外の機械的構成部品が存在していないため、保持パッド部に眼鏡レンズまたは丸レンズが
保持されている限り、これ等被検レンズに対する光源からの光束に対する障害物がなく、
光学的に制約のない光学機器装置とすることができ、これ等の優れた操作性と光学系等に
関する作用効果は、洗顔発明におけると同様に享受できるところである。
【００２４】
更にまた、本発明における枠型保持ユニットにおいては、そのスライド支持軸にかかわ
る着脱機構として、スライド支持軸は、枠型保持ユニットのフレーム部材に対する軸線回
りの相対的な回転を規制する面取り部が形成されている一方、軸線に沿って所定の距離だ
け移動自在に嵌合されていると共に、スライド支持軸とフレーム部材間には適当なバネ手
段が介装されて、スライド支持軸の先端部に形成した先端嵌合部を、略断面コの字形のフ
レーム部材の内側から突出させて取付ブラケットのガイド溝に摺動自在に嵌合するよう構
成され、かつスライド支持軸の基端には、フレーム部材側面との間に適度な弾性を有する
スペーサーを介在させて操作摘みを設け、これにより所定のフリクション保持力が発生す
るよう構成され、当該操作摘みを左方向または右方向に回動操作することにより、被検レ
ンズを枠型保持ユニットごと左右に適宜傾動操作自在に構成すると共に、当該操作摘みを
上記バネ手段に抗して更に軸方向に操作することにより、スライド支持軸をフレーム部材
からの突出状態から後退させ、スライド支持軸の先端嵌合部とガイド溝との嵌合状態を必
要に応じて解除し、枠型保持ユニットをワンタッチで着脱自在に構成されてなる着脱機構
を具備していることを特徴としているものである。
【００２５】
然もこれ等の機能的に優れた被検レンズの枠型保持ユニットを、本発明においては、上
記スライド支持軸に仕掛けた簡単で部品点数の少ない着脱機構により、ワンタッチで取付
けブラケットに装着して簡単に光学機器装置を組立ることができるので、生産効率の向上
を図れる他、必要に応じて枠型保持ユニット自体を取り外して交換できるので、光学機器
装置において対象とする被検レンズの形態を容易に変更することも可能であり、光学機器
装置として被検レンズの形態、即ち枠入れされた眼鏡レンズ専用の、または未加工の丸レ
ンズ専用の、またはこれ等の共用の光学装置として、夫々顧客の要望に容易に対応し提供
できる効果を併せて発揮できるものである。
【００２６】
なお、本発明にかかる光学機器装置としては、光源に対向して配置された受光側の光学
系手段を一体的に備えたレンズチェッカーやレンズメーターの他に、例えば受光側光学系
手段を持たない直接的な目視観察型のレンズチェッカー等、何れの形式であっても拘束さ
れることはなく、その光学機器本体の基台において、Ｘ軸方向のガイド溝を有する取付け
ブラケットさえあれば、このガイド溝に嵌合してスライドすると共に、着脱機構を具備し
てなるスライド支持軸さえあれば、容易に本発明における被検レンズの枠型保持ユニット
を採用し、実施することができることは勿論である。
また、以上に述べた本発明において用いる被検レンズの枠型保持ユニットは、光学機器装
置本体に内蔵された光学系の違いにより、例えば被検レンズの観察光学系を備えた装置に
具備することによる具体的な光学機器として、小型コンパクトで精度と操作性の良い生産
性に優れたレンズチェッカーを提供することができ、一方、装置本体内に被検レンズの測
定光学系を備えた装置に具備させた場合における具体的な光学機器としては、小型コンパ
クトで測定精度と操作性の良い生産性に優れたレンズメーターを提供することができるの
であり、その光学機器装置としての操作性においても、機械的なセンタリング保持効果と
操作精度が向上されることは勿論、光学機器装置として観察精度及び測定精度の優れた装
置とすることができることは言うまでもない。
然も、装置全体としての構成上も、汎用性のある装置として、これを廉価に構成できるの
で、経済性にも実用性にも秀でた装置を多機能的に提供できるのである。
【図面の簡単な説明】
【００２７】
【図１】図１は、眼鏡フレームを保持した本発明にかかる枠型保持ユニットを採用してなるレンズチェッカーまたはレンズメーターの外観図である。
【図２】図２は、本発明にかかる枠型保持ユニット部分の説明用斜視図。
【図３】図３は、本発明にかかる枠型保持ユニットのスライド支持軸と取付けブラケットとの嵌合関係を表す説明用拡大部分断面図。
【図４】図４は、未加工の丸レンズを保持した本発明にかかる枠型保持ユニットを採用して成るレンズチェッカーまたはレンズメーターの外観図である。
【図５】図５は、本発明にかかる枠型保持ユニットにおける保持アーム部材のセン          タリングバネ機構の配置の一例を示す説明用平面図。
【発明を実施するための形態】
【００２８】
本発明の実施例について、光学機器装置としてレンズチェッカーまたはレンズメーター
への適用事例を示した図１と、図２乃至図５に示した被検レンズの枠型保持機構としての
枠型保持ユニット１部分の事例を参照しつつ、以下その技術的な構成と作動要領などにつ
いて最初に説明することとし、枠型保持ユニット１のワンタッチ式の着脱操作要領につい
ては後述することとする。
図１は、光学機器装置として照明用光源３と、この光源３に対して対向配置された受光側
の撮像手段４からなる所謂観察光学系を具備してなる装置本体部２ａの基台２ｂ上におい
て、本発明にかかる眼鏡レンズ及び丸レンズ等を被検レンズとする枠型保持ユニット１を
装着して構成されたレンズチェッカーの全体構成を表す説明用斜視図であり、この枠型保
持ユニット１の基本的な構成は、装置本体部２ａの基台２ｂにおける中央において、光源
３を挟んでＸ軸方向のガイド溝５ａ、６ａを有する取付ブラケット５、６を対向的に配置
し、当該取付ブラケット５、６に対して、そのガイド溝５ａ、６ａに着脱自在に嵌合する
スライド支持軸７ａ、７ｂを略矩形の長手方向中央位置に突設したフレーム部材７と、当
該フレーム部材７に対し対照的に枢着配置された左右二組の保持アーム部材１１ａ及び１
１ｂにより枠型保持ユニット１の骨格を構成し、後者の保持アーム部材１１ａ及び１１ｂ
の先端部には夫々上下二段に眼鏡フレーム受部８ａと丸レンズ受部９ａが側面に形成され
た保持パッド部材１０ａ、１０ｂ及び１０ｃ、１０ｄを設け、これ等左右の各組毎に保持
パッド部１０ａ、１０ｂ及び１０ｃ、１０ｄが後述するように夫々フレーム部材７の内側
中央に向けて互いに接近するようバネ付勢されたセンタリング機構として機能し、更に当
該センタリング機構としての各保持アーム部材１１ａ及び１１ｂは、その基端において回
動自在に各々枢軸１２ａ及び１２ｂにより枢着（図２及び図５等を参照）され、上記左右
の保持パッド部１０ａ、１０ｂ及び１０ｃ、１０ｄ相互の間隔を適宜同期的に拡縮操作自
在に構成されている。
なお、フレーム部材７の全体形状は、図示したような略矩形に限らずＣ型やコの字型であ
っても構わないが、この場合のフレーム部材７を摺動自在に支える取付けブラケット５、
６の配置は、光源３を挟んで対向的に設けることなく、例えば光源３に対する片側の左右
方向Ｘ軸に沿って設け、上記フレーム部材７を片持ち支持状態に保持するよう構成しても
良い。
【００２９】
そしてこの枠型保持ユニット１により図１に示す如く、眼鏡フレームのテンプルＭＴを
上方に立ち上げた状態で保持する一方、図４に一例を示す如く、未加工の丸レンズＳＬも
フレーム部材７の枠内中央の光軸に合わせて夫々機械的にセンタリング保持するよう構成
すると共に、光学機器装置における光軸に対し交叉する平面内において、これ等の眼鏡フ
レームに枠入れされた眼鏡レンズＭＬ及び未加工の丸レンズＳＬ等の何れの被検レンズで
あっても確実に機械的に保持し、然もフレーム部材７のスライド操作により、被検レンズ
と光軸を最適な光学関係にすべく適宜Ｘ軸方向にスライド操作することができるよう構成
されてなるものである。
なお、眼鏡フレームを保持する場合、例えば図１及び図２に一例を示す如く眼鏡フレーム
のノーズパッドＮＰに対するノーズバッド鼻当部材１３を用いることにより、眼鏡レンズ
ＭＬにおける視線と光軸との関係を合わせるように左右の保持パッド部１０ａ、１０ｂ及
び１０ｃ、１０ｄにおける各眼鏡フレーム受部８ａにより保持することができて便利であ
る一方、図４に示す如く丸レンズＳＬを枠型フレーム部材７の内側中央に保持する際には、
上記鼻当部材１３が光軸の妨げにならないようにこれを退避操作自在に構成されているの
が好ましい。
【００３０】
更に上記本発明にかかる枠型保持ユニット１における特徴的な構成は、図示実施例にお
いては、略矩形のフレーム部材７が、基台２ｂ上に対向設置されているＸ軸方向のガイド
溝５ａ、６ａを有する取付ブラケット５、６に対して、そのガイド溝５ａ、６ａと自身の
長手方向中央部に突設されたスライド支持軸７ａ、７ｂを介し、適度な締付力の下に保持
並びに着脱自在に嵌合され、かつ人為的にＸ軸方向にスライド自在に組合せてあり、この
スライド支持軸７ａ、７ｂにおける特徴的な着脱機構は、例えば図３に示す断面図からも
明らかなように、殊に光学機器装置に面して手前側にあるスライド支持軸７ａにおいてそ
の先端部には、フレーム部材７に対する軸線回りの相対的な回転を規制するための面取り
部２０と、取付ブラケット５のガイド溝５ａに対してフレーム部材７側から突出して摺動
自在に嵌合するための先端嵌合部２１を形成し、かつ当該スライド支持軸７ａをフレーム
部材７に対し軸線に沿って所定の距離だけ移動自在に嵌合させると共に、スライド支持軸
７ａとフレーム部材７との間には、トーションスプリングまたは圧縮バネ等の適当なバネ
手段２２を介在させ、そのバネ端部２２ａをスライド支持軸７ａに結合することにより、
そのバネ力によりスライド支持軸７ａを常に突出方向へ付勢するよう構成し、一方スライ
ド支持軸７ａの基端部には、フレーム部材７の側面に当接する弾性スペーサー２３の介在
の下に操作摘み１５を螺着して、当該操作摘み１５及び弾性スペーサー２３と取付ブラケ
ット５との相互の当接面においてフリクション面が形成され、これ等のスライド支持軸７
ａを介してフレーム部材７に対する適度なフリクション保持力が伝達されるよう構成され
ている。
なお、図中符号の２４は、取付ブラケット５側に成形されたＵ字溝に摺動自在に嵌め合わ
されたフレーム部材７のコの字形の一方の開放縁部により形成される、フレーム部材７の
もう一つのガイド部である。
従って、上記構成により、取付けブラケット５、６のガイド溝５ａ、６ａとスライド支持
軸７ａ、７ｂとの間には、フレーム部材７の略水平を維持するのに適当なフリクション保
持状態と人為的にスライド移動可能な嵌合状態が得られることになっている。
【００３１】
また更に、スライド支持軸７ａの基端においては、軸方向への所定距離の相対的軸移動
と軸回りの所定角度の相対的軸回転を許容する弾性スペーサー２３が操作摘み１５の間に
介在されているので、これ等弾性スペーサー２３とのフリクションに抗して、操作摘み１
５を左方向または右方向に回動操作することにより、被検レンズを枠型保持ユニット１ご
と左右に適宜傾動操作自在に構成すると共に、係る操作摘み１５を更に締め込み操作する
ことにより上記フリクションを増大させることにより、フレーム部材７を所望とする傾動
状態に一時的に保持することができるのであり、一方、上記操作摘み１５をバネ手段２２
に抗して軸方向に操作することにより、その先端嵌合部２１とガイド溝５ａとの嵌合状態
を必要に応じて解除可能に構成してなり、これ等のスライド支持軸７ａ、操作摘み１５、
バネ手段２２及び弾性スペーサー２３等の関連部品により、枠型保持ユニット１をワンタ
ッチで着脱自在にするための着脱機構が構成されているのである。
【００３２】
叙上のように、スライド支持軸７ａ、７ｂは、着脱機能部品であると共にスライド並び
に傾動機能部品、及びフリクション伝達部品などの複合機能部品であり、操作摘み１５に
ついても同様に、スライド並びに傾動操作及び着脱操作用の複合機能部品である。
なお、スライド支持軸７ａにおける上記着脱機構は、対向するスライド軸７ｂ側にも設け
ても良いが、本実施例の図３の如く一方のスライド軸７ａ側に設けるだけで、他方のスラ
イド軸７ｂにおいては、取付けブラケット６のガイド溝６ａに対して単に嵌合するだけの
構造を採用するだけでも良く、或いは、一方のスライド支持軸７ａのみによるフレーム部
材７の片持ち支持構造を採用することもでき、更に、例えば眼鏡フレームから外された形
レンズを被検レンズとする場合等において、その被検レンズとする被検レンズの外周形状
が対称的でないことに基因して、各保持パッド部１０ａ、１０ｂ及び１０ｃ、１０ｄにお
ける丸レンズ受部９ａによるセンタリング保持が仮に不安定になるような虞がある場合に
は、フレーム部材７の下面側において、光軸の妨げにならないように細いワイヤーを張り
巡らせる等、万一の安全性に配慮した構成とする等、何れの構造を採用するかは必要に応
じて当業者が自由になし得るところであり、また、本発明にかかる枠型保持ユニット１の
ワンタッチ着脱操作に関する要領については、後述することとする。
【００３３】
そして更に、本発明においては、このようにスライド支持軸７ａ、７ｂのフリーな回転
運動を規制しながらガイド溝５ａ、６ａに案内されてスライド移動可能にする一方、必要
に応じてガイド溝５ａ、５ｂの任意の移動位置において、スライド支持軸７ａ、７ｂを人
為的に右回転或いは左回転操作するための操作摘み１５を設けてあるので、被検レンズを
保持パッド部１０ａ、１０ｂ及び１０ｃ、１０ｄにより保持したままフレーム部材７ごと
左右方向に適宜傾動操作自在に構成されており、然も上記の操作摘み１５を一方の取付け
ブラケット５に対し、例えば捩じり操作して締め付けることなどにより、所望のスライド
位置において所望の傾動状態にロック保持することができるようにも構成することができ
、これ等の傾動機構により、本発明においても先願発明におけると同様に、被検レンズが、
例えばハイカーブレンズや、曲率の大きな曲面をもつ丸レンズ等の場合であっても、光軸
に対する面直機能を果たすことが可能なため、この様な被検レンズ表面の観察や測定機能
を果すことができるのである。
なお、上記取付けブラケット５、６のガイド溝５ａ、６ａに対するスライド支持軸７ａ、
７ｂの嵌合関係により、フレーム部材７が略水平状態に保持される一実施例を例示したが
、正確な水平状態を維持したい場合には、図示してないが、スライド支持軸７ａ、７ｂの
少なくとも何れか一方に対して可撓性のある水平保持バネを必要に応じて設けることによ
り目的を果たすことができ、それは当業者ならば極めて容易に実施することができると共
に任意である。
【００３４】
また、本発明にかかる被検レンズの枠型保持ユニット１においては、そのフレーム部材
７に対して左右対照的に二組の保持アーム部材１１ａ及び１１ｂが夫々枢軸１２ａ及び１
２ｂを介して回動自在に枢着されていると共に、これ等の保持アーム部材１１ａ及び１１
ｂは、その先端に形成されている保持パッド部１０ａ、１０ｂ及び１０ｃ、１０ｄがその
各組毎にフレーム部材７の内側中央に向けて互いに接近するよう、例えば、図５に示す如
く、フレーム部材７における枠型中心に対して対称的な四箇所に配置したバネ軸１６ａと
、このバネ軸１６ａに夫々装着されて左右の保持アーム部材１１ａ及び１１ｂをフレーム
部材７の内側に向けて付勢するためのセンタリングバネ１６ｂ、１６ｂ及び、１６ｂ、１
６ｂを設けると共に、上記左右一対の保持アーム部材１１ａ及び１１ｂの稼動範囲を規制
するための手段として、フレーム部材７の対称的な四箇所に穿った左右各一対のガイド穴
１８ａ、１８ａ及び１８ｂ、１８ｂと、当該ガイド穴１８ａ及び１８ｂの夫々に対応する
ガイドピン１９ａ、１９ａ及び１９ｂ、１９ｂを設けてなる所謂センタリング機構を構成
してなり、更にこれ等の保持アーム部材１１ａ、１１ａ及び１１ｂ、１１ｂの枢着側の端
部には、互いに噛合うセクターギヤ部１７ａ及び１７ｂを設けることにより、各組の保持
アーム部材１１ａまたは１１ｂにおけるひとつの保持アーム部材１１ａまたは１１ｂを外
側または内側へ向けて動かすことにより、ペアをなす左右何れかの組の保持アーム部材１
１ａ及び１１ｂが夫々同期的に離間または接近することが自在にできるように、各々左右
における同期的な拡縮操作機構として設けられているのである。
従って、上記の如く、本発明における保持パッド部１０ａと１０ｂ及び１０ｃと１０ｄは、
保持アーム部材１１ａ及び１１ｂの同期的な拡縮運動とともに同期的に離間操作したり接
近操作することができるので、眼鏡フレームＭＦの大きさや丸レンズＳＬの径の大小等に
応じて機械的にこれ等サイズの異なる被検レンズを確実に保持することができると共に、
その操作を楽に行うことができるので便利であることは、先願発明における機能と変わり
はない。
【００３５】
なお、上記四箇所のセンタリングバネ１６ｂは、夫々のバネ軸１６ａ周りに配置した事
例を図示したが、これ等センタリングバネ１６ｂの配置は図示実施例に限られるものでは
なく、例えば各保持アーム部材１１ａ及び１１ｂの各枢軸１２ａ及び１２ｂ周りに夫々配
置しても良く、更に図示してないが中心軸上に位置する単一のバネ軸に対して設けた一つ
のセンタリングバネにより、各組の保持アーム部材１１ａ及び１１ｂを互いに近接する方
向に付勢するようセンタリング機構を構成することもできるものであり、その構成は同期
的なセンタリングが可能であれば他の適当な構成を採用することができるものである。
【００３６】
以上説明してきたように、図１の実施例においては、先にも述べたように光学機器装置
として照明用光源３と受光側の撮像手段４からなる所謂観察光学系を具備してなるレンズ
チェッカーの実施例として説明したが、光学機器装置として被検レンズに対する照明用光
源３に代えて測定用光源３を設け、受光側における本体２ａに設けた撮像手段４に代えて
、これを被検レンズからの透過光束を受光してその光学データから被検レンズの度数など
の光学特性を演算処理する如き測定光学系（図示せず）を備えた、所謂レンズメーターで
あっても、前記と同様に光学機器装置本体の基台２ｂにおいて、本発明にかかる枠型保持
ユニット１を採用し機器を構成することができることは勿論であり、殊に本発明における
枠型保持ユニット１は、基台２ｂの上面における取付ブラケット５、６に対しＸ軸方向へ
スライド自在に組合されたフレーム部材７において、保持パッド部１０ａ、１０ｂ及び１
０ｃ、１０ｄを設けた左右二組の保持アーム部材１１ａ及び１１ｂがその基端において回
動自在に枢着され、これ等左右の保持アーム部材１１ａ及び１１ｂにおける相互の間隔を
適宜同期的に拡縮操作自在に構成されている関係上、フレーム部材７の枠内には、基本的
に上記二組のパッド部付保持アーム部材１１ａ及び１１ｂ以外に機械的構成部品が存在し
ていないため、保持パッド部１０ａ、１０ｂ及び１０ｃ、１０ｄにて眼鏡レンズＭＬまた
は丸レンズＳＬが保持されている限り、これ等の被検レンズＭＬまたはＳＬに対する光源
部３からの光束に対する障害物がない（図４参照）ので、光学系に制約を受けないことを
必須条件とする被検レンズの透過光束を使用する測定光学系を備えたレンズメーターとし
て有利な被検レンズの保持機構となるのであり、これ等レンズメーター或いはレンズチェ
ッカーとしての光学的な観察または測定操作及び機能については、一般的なものと基本的
に変わりはないので説明を省略する。
【００３７】
だだ、本発明にかかわる被検レンズの枠型保持ユニット１が着脱自在に具備されている
ことによる特徴的な違いは、ワンタッチで着脱できること以外に、前記したように眼鏡フ
レームＭＦのテンプルＭＴを上方に立ち上げた状態で保持する一方、未加工レンズＳＬも
同様に機械的に保持することができ、然もフレーム部材７のスライド操作により、被検レ
ンズと光軸を最適な光学関係にすべく適宜Ｘ軸方向にスライド操作することができる他、
必要に応じて被検レンズを保持パッド部１０ａ、１０ｂ及び１０ｃ、１０ｄにより保持し
たままフレーム部材７ごと左右方向に適宜傾動操作自在に構成されている点において、今
までの一般的なレンズチェッカーやレンズメーターと異なる点である。
なお、眼鏡フレームＭＦに枠入れされた眼鏡レンズＭＬと未加工の丸レンズＳＬなどの異
なる形態の被検レンズに適応可能なことを特徴とする本発明においては、被検レンズの保
持機構として枠型保持ユニット１に関する一実施例を図示したが、上記したフレーム部材
７に伴うメリットを逸脱しない範囲において、例えばフレーム部材７の全体的な形状等は
図示の実施形状に拘束されるものではなく、またフレーム部材７のスライド移動と傾動操
作及び所望ワンタッチ式の着脱機構付きスライド支持軸７ａにおけるバネ手段２２、弾性
スペーサ２３、操作摘み１５等の構成等々、その他必要な変更などは、本発明の本質的な
技術思想を逸脱しない範囲で、当業者がその構成要件の形状変更などを行うことは自由に
なし得ることであり、本発明の技術的範囲に含まれること勿論である。
【００３８】
特に本発明においては、上記したように被検レンズの枠型保持ユニット１に関し、着脱
自在な関係にあるスライド支持軸７ａと取付けブラケットのガイド溝５ａの構成により、
ワンタッチ式に枠型保持ユニット１の装着脱を容易にできることが大きな特徴であること
に加えて、先願発明におけると同様な優れた作用効果を共有することができるものであり、
着脱自在な枠型保持ユニット１により形態の異なる被検レンズに個別に対応しなくてはな
らない場合のような、光学機器製品の多様化需要にも対応可能であると共に、図１に示す
ように、眼鏡フレームＭＦの眼鏡ヅルＭＴを上方に向けて立ち上げた状態のまま眼鏡フレ
ームを例えば略水平状態に保持することができるので、洗顔発明におけると同様に、従来
一般的に採用されていた装置の基台に突設されていたレンズ載置台を用いることがなく、
眼鏡フレームＭＦを機械的に保持することができて、当該レンズ載置台と眼鏡ヅルＭＴに
付随して今まで必要とされてきた高さ方向の寸法について、これを全く必要とせず無用に
できるので、該当する光学機器装置（レンズチェッカー及びレンズメーターの何れにおい
ても）の高さ方向の低床化を可能にし、かつ装置全体としても小型化を達成することがで
き、光学機器装置としての設置スペースを取らない有利な配置を提供することができるの
である。
【００３９】
以上の如く構成された本発明にかかる被検レンズの枠型保持ユニット１が、着脱自在に
構成されている添付図面の実施例に基づき、その操作要領について、以下簡単に説明する
こととする。
まず、眼鏡フレームＭＦに枠入れされた左右の眼鏡レンズＭＬを保持する場合、フレーム
部材７の左右における保持アーム部材１１ａ及び１１ｂの各組における一方の保持アーム
部材１１ａ及び１１ｂを外側に広げる方向に動かすことにより、夫々の組における保持ア
ーム部材１１ａ及び１１ｂがセクターギヤ１７ａまたは１７ｂの噛合いにより互いに離間
する方向に同期的に操作することができるので、左右の保持パッド部１０ａ、１０ｂ及び
１０ｃ、１０ｄを、互いに離間させたまま眼鏡フレームＭＦをそのテンプルＭＴが上方に
立ち上げられた状態でセットし、保持アーム部材１１ａ及び１１ｂを外側に広げる操作を
止めることにより、各保持パッド部１０ａ、１０ｂ及び１０ｃ、１０ｄにおける眼鏡フレ
ーム受部８ａ、８ａ及び８ａ、８ａにより、図３の平面図に示す如く眼鏡フレームＭＬを
自動的に挟持することができる。
【００４０】
この時、ノーズパッド受部材１３をノーズパッドＮＰに当接させるようセットすること
により、眼鏡レンズＭＬの視線の方向を光軸に合わせることができて便利であると共に、
眼鏡フレームＭＦに対する保持力は、左右二組の保持アーム部材１１ａ及び１１ｂの夫々
に対称的に配置した四箇所のバネ軸１６ａにおけるセンタリングバネ１６ｂによるバネ付
勢力の下にセンタリング保持されているのである。
この状態で眼鏡フームＭＦをＸ軸方向へ移動操作するときは、フレーム部材７を取付ブラ
ケット５、６のガイド溝５ａ、６ａに沿ってそのスライド支持軸７ａ、７ｂによる略水平
状態のまま或いは、後述する所望の傾動状態のままフレーム部材７ごと適宜操作摘み１５
を介して手動で（または自動化することもできる）左右方向に移動操作することにより、
眼鏡フレームＭＦに枠入れされた左右の眼鏡レンズＭＬの隠しマーク設定部を交互に観察
光学系或いは測定光学系の略光軸に一致させるべく切換え操作するだけで済むのである。
即ち、眼鏡フレームＭＦに対して対称的に配置されている保持アーム部材１１ａ及び１１
ｂによるセンタリング機構により、既に同一平面内におけるＹ軸方向への位置合せをする
必要がないので、同一平面内における位置調整はＸ軸方向のみで良いため、そのスライド
操作を簡単かつ容易に、然も精度よく行うことができるので、本被検レンズの枠型保持機
構１を光学機器装置に組み込むことにより、光学機器装置としての性能向上と、操作性の
向上を同時に果すことができる優れた効果を発揮できる。
またこのスライド操作の際に眼鏡フレームＭＦのテンプルＭＴは、上方に立ち上げられた
ままの状態にあるが、フレーム部材７ごとガイド溝５ａ、６ａに沿って移動操作しても一
切枠型保持機構１を構成する部材に接触することもなく、また上方の受光部４ともガイド
溝５ａ、６ａ内のスライド移動で済むため干渉することもない。
【００４１】
また、眼鏡フレームＭＦに枠入れされた左右の眼鏡レンズＭＬを略水平に保持した状態
から必要な角度だけ左右方向に傾動操作する場合には、先にも述べたように取付ブラケッ
ト５、６のガイド溝５ａ、６ａに嵌合させたフレーム部材７のスライド支持軸７ａ、７ｂ
の締付保持力を操作摘み１５の逆捩り操作により緩めると同時に、この操作摘み１５を用
いてフレーム部材７自体を必要な所望の角度だけ左右に傾動操作することにより、即ち、
スライド支持軸７ａ、７ｂをガイド溝５ａ、６ａの任意の位置において右回転或いは左回
転操作することにより、必要に応じて被検レンズを保持パッド部１０ａ、１０ｂ及び１０
ｃ、１０ｄにより保持したままフレーム部材７ごと左右方向に適宜傾動操作することがで
き、かつその傾動状態のまま任意にＸ軸方向にスライド移動操作することもできるもので
あり、これ等の傾動操作に際しても上方に立ち上げられた状態のままの眼鏡ヅル（テンプ
ル）ＭＴは、先の場合と同様に、受光部４に対する障害になることはない。
【００４２】
以上、本発明に係る着脱自在な枠型保持ユニット１を眼鏡フレームＭＦに枠入れされた
眼鏡レンズを被検レンズとする場合について説明したが、本発明のもう一つの特徴は、枠
入れされた眼鏡レンズを被検レンズとすることに限られるものではなく、図示実施例から
も明らかなように、上記枠型保持ユニット１は、未加工の丸レンズＳＬを被検レンズとす
ることもできるので、以下その構成と作動並びに作用効果を簡単に説明することとする。
【００４３】
即ち、未加工の丸レンズＳＬを被検レンズとする場合には、図４に丸レンズＳＬを保持
した光学機器装置全体の外観図、及び図２に示す枠型保持ユニット１部分に関する説明用
の斜視図からも明らかなように、被検レンズの丸レンズＳＬは、左右の保持パッド部１０
ａと１０ｂ及び１０ｃと１０ｄにおける対称的な四つの丸レンズ受部９ａにおいて、フレ
ーム部材７の内側中央部の光軸と一致するよう保持アーム部材１１ａ及び１１ｂとセンタ
リングバネ１６ａ及び１６ｂによるセンタリング機能を受けて水平保持されるのであり、
更に、この時の保持パット部１０ａ、１０ｂ及び１０ｃ、１０ｄの同期的な拡縮操作要領
は、前記した眼鏡フレームＭＦの保持アーム部材１１ａ及び１１ｂの操作要領と同様であ
るので詳細な説明は省略する。
なお、丸レンズＳＬを被検レンズとするときは、ノーズパッド受部材１３は必要ないので
退避させておくのが好ましい。
また、丸レンズＳＬを保持した際におけるＸ軸方向へのスライド操作要領、並びに左右方
向への傾動操作要領についても、先の眼鏡レンズＭＬを被検レンズとする場合と同様に操
作するので、その詳細な説明を省略する。
【００４４】
次に本発明の特徴である被検レンズの枠型保持ユニット１を、光学機器装置本体におけ
る取付けブラケット５、６に対する着脱操作要領について説明する。
光学機器装置については、その装置本体２ａの基台２ｂにおいて、取付ブラケット５、６
が設置されていて夫々にはＸ軸方向に延びるガイド溝５ａ、６ａが開口されていることが
必須条件であり、この本体の製造ラインとは別の製造ラインにおいて、本発明における枠
型保持ユニット１が、前記したようにフレーム部材７と保持アーム部材１１ａ、１１ｂ及
び１１ｃ、１１ｄを基本的な構成部品として、効率的にユニット化して組み立てられるこ
とが、光学部品の組み立てラインと機械部品のみによる組み立てラインとを区別できる点
において、一般的にクリーンな作業工程が望まれる観点から見ても好ましい。
本発明において、装置本体２ａの基台２ｂ上の一方の例えば、取付けブラケット５に対し
て上記の如く組み立てられて来た枠型保持ユニット１を取付ける場合、スライド支持軸７
ａにおける操作摘み１５をバネ手段２２に抗して更に圧縮する方向に所定寸法だけ軸方向
に操作して、スライド支持軸７ａ先端の先端嵌合部２１が突出した状態から、略断面コの
字形のフレーム部材７の内側に後退させた状態へと操作保持する。
そしてこの状態を保ったまま、枠型フレームユニット１におけるフレーム部材７を、取付
けブラケット５のガイド溝５ａに上記の状態に保持しているスライド支持軸７ａの先端嵌
合部２１が対向するよう位置合わせし、操作摘み１５の引張り力を緩めると、スライド支
持軸７ａがバネ手段２２のバネ力の下にフレーム部材７の外側に突出することとなり、そ
の先端嵌合部２１が自動的にガイド溝５ａに嵌合して、枠型保持ユニット１の取付けがワ
ンタッチで完了する（図３参照）のである。
【００４５】
一方、上記の如く装着した枠型フレームユニット１を光学機器装置から取外す場合には
、上記の装着時における初期の操作と同様に、操作摘み１５をバネ手段２２に抗してスラ
イド支持軸７をその軸方向に操作し、スライトラ支持軸７ａの先端嵌合部２１をガイド溝
５ａから後退させることにより嵌合状態を解除して、取付ブラケット５から簡単に取外す
ことができる。
このようにワンタッチで簡単に着脱できるということは、顧客の要望に応じて形態の異なる被検レンズに対応した枠型保持ユニット１が所望される場合などにおいて、交換着脱が容易であるので迅速に対応することができると共に、顧客の要望に応じた光学機器の商品揃えの観点においてメーカーサイドから見ても極めて有益な機構となるのである。
【００４６】
叙上のように、本発明にかかる被検レンズの枠型保持機構１は、単一の保持機構であり
ながら、形態の異なる眼鏡フレームＭＦに枠入れされた眼鏡レンズＭＬ及び未加工の丸レ
ンズＳＬの双方の被検レンズの保持機構としての必要十分な機能を果たすことができると
言うことは、これを光学機器装置に組付け採用することにより、単一の光学機器装置であ
りながら、種々の被検レンズに対応した汎用性のある光学機器装置（殊にレンズチェッカ
ー及びレンズメーター）とすることができるので、費用の嵩む光学機器装置を異なる被検
レンズの形態ごとに設ける必要が無くなり、機能的に優れた光学機器装置を廉価に提供す
ることができ、その経済的メリットは極めて大きいものである。
なお、図示した本発明にかかる枠型保持機構１は、異なる形態の被検レンズの保持用とし
て眼鏡フレーム受部８ａと丸レンズ受部９ａを上下二段に備えた二組の保持パッド部１０
ａ、１０ｂ及び１０ｃ、１０ｄの事例について説明したが、少なくとも眼鏡フレームＭＦ
について言えることは、基本的な保持形態としての特徴である、眼鏡フレームＭＦのテン
プルＭＴを上方に向けた状態のまま機械的に保持可能であることと相俟って、従来多用さ
れていた基台に突設されていたレンズ載置台の廃止に伴う光学機器装置の高さ方向の寸法
の低床化を果し、装置全体としての小型コンパクト化を発揮できる効果を奏することがで
きることは言うまでもない。
【産業上の利用可能性】
【００４７】
本発明にかかる被検レンズの枠型保持機構は、枠内に障害物が位置することなく被検レ
ンズを機械的にセンタリング保持すると共に、形態の異なる被検レンズを少なくともＸ軸
方向にスライド操作することができるので、具体的な光学機器装置としてレンズチェッカ
ー及びレンズメーター等として利用可能である。
【符号の説明】
【００４８】
１      眼鏡レンズ及び丸レンズ等の被検レンズの枠型保持ユニット
５      取付ブラケット
６      取付ブラケット
５ａ    Ｘ軸方向ガイド溝
６ａ    Ｘ軸方向ガイド溝
７      枠型フレーム部材
７ａ    着脱用スライド支持軸
７ｂ    着脱用スライド支持軸
８ａ    眼鏡フレーム受部
９ａ    丸レンズ受部
１１ａ  保持アーム部材
１１ｂ  保持アーム部材
１５    スライド並びに傾動操作及び着脱用操作摘み
１６ｂ  センタリングバネ
１７ａ  同期用セクターギヤ
１７ｂ  同期用セクターギヤ
２２    バネ手段
２３    弾性
【図１】
2020064025.tif 000003
【図２】
2020064025.tif 000004
【図３】
2020064025.tif 000005
【図４】
2020064025.tif 000006
【図５】
2020064025.tif 000007
【手続補正書】
【提出日】平成30年10月30日(2018.10.30)
【手続補正１】
【補正対象書類名】明細書
【補正対象項目名】００４８
【補正方法】変更
【補正の内容】
【００４８】
１        眼鏡レンズ及び丸レンズ等の被検レンズの枠型保持ユニット
５        取付ブラケット
６        取付ブラケット
５ａ      Ｘ軸方向ガイド溝
６ａ      Ｘ軸方向ガイド溝
７        枠型フレーム部材
７ａ      着脱用スライド支持軸
７ｂ      着脱用スライド支持軸
８ａ      眼鏡フレーム受部
９ａ      丸レンズ受部
１１ａ    保持アーム部材
１１ｂ    保持アーム部材
１５      スライド並びに傾動操作及び着脱用操作摘み
１６ｂ    センタリングバネ
１７ａ    同期用センターギヤ
１７ｂ    同期用センターギヤ
２２      バネ手段
２３      弾性スペーサー
【手続補正２】
【補正対象書類名】図面
【補正対象項目名】図３
【補正方法】変更
【補正の内容】
【図３】
2020064025.tif 000008